(57)【要約】      （修正有）【課題】構造が簡単で、液化ガスを漏出させない模擬銃用着脱式ガスタンクを提供する。【解決手段】銃身をほぼ水平に向けた標準状態にてタンク本体３０の上部に位置するガス噴出部と、同じくタンク本体３０のガス噴出部よりも下部に位置するガス注入部３１とを具備し、ガス注入部３１は、標準状態にてほぼ水平に向けたガス注入パイプ３２を有するとともに、ガス注入用の注入弁３３を有し、ガス噴出部は、同じく標準状態にてほぼ水平に向けたガス噴出パイプ３６を有するとともに、銃本体に装着されていないときに閉じ、装着時に開く開閉弁３７を有しており、ガス噴出パイプ３６とガス注入パイプ３２とは共にタンク本体３０の同じ側面にあって、ガス噴出パイプ３６の内方端部３６ｅがガス注入パイプ３２の内方端部よりも内方に位置するように配置されている。【選択図】図４
2015034642.tif 000002
【特許請求の範囲】
【請求項１】
ガスの圧力により弾丸を発射する模擬銃において、銃本体に装着する着脱式のガスタンクであって、
銃身をほぼ水平に向けた標準状態にてタンク本体の上部に位置するガス噴出部と、同じくタンク本体の上記ガス噴出部よりも下部に位置するガス注入部とを具備し、
ガス注入部は、前記標準状態にてほぼ水平に向けたガス注入パイプを有するとともに、ガス注入用の注入弁を有し、
ガス噴出部は、同じく標準状態にてほぼ水平に向けたガス噴出パイプを有するとともに、銃本体に装着されていないときに閉じ、装着時に開く開閉弁を有しており、
上記ガス噴出パイプとガス注入パイプとは共にタンク本体の同じ側面にあって、ガス噴出パイプの内方端部がガス注入パイプの内方端部よりも内方に位置するように配置されていることを特徴とする
模擬銃における着脱式ガスタンク。
【請求項２】
ガス噴出パイプとガス注入パイプとは共に外形も管状の構造を有しており、
銃身をほぼ水平に向けた標準状態において、ガス噴出部の外方端部とガス注入部の外方端部とは、タンク本体の同じ側面に開口しており、かつ、上下に並んで配置されている
請求項１記載の模擬銃における着脱式ガスタンク。
【請求項３】
タンク本体は、ガス噴出部の外方端部とガス注入部の外方端部が上方を向けた状態で液化ガスを注入する形式であり、ガス噴出パイプの内方端部がガス注入パイプの内方端部よりも内方に位置することにより、最大注入時にはガス噴出パイプの内方端部が液化ガスに浸るが、標準状態にて液化ガスの液面上に露出し、気化ガスを噴出するように構成された
請求項１又は２記載の模擬銃における着脱式ガスタンク。
【請求項４】
タンク本体は、概ね銃身方向への差し込み操作で銃本体に装着する形式であり、上記差し込み操作によりガス噴出部と銃本体側のガス流路とが通じるように、差し込み方向の前面にガス噴出部の外方端部が配置されている、
請求項１ないし３の何れかに記載の模擬銃における着脱式ガスタンク。
【請求項５】
タンク本体は、銃身をほぼ水平に向けた標準状態にて銃身方向に長い概ね長方形の形状を有しており、銃身方向への差し込み操作における差し込み方向前側の下面が前方に向けて上位となる傾斜底面を有している、
請求項１ないし４の何れかに記載の模擬銃における着脱式ガスタンク。
【発明の詳細な説明】
【技術分野】
【０００１】
本発明は、ガスの圧力により弾丸を発射する模擬銃において、銃本体に装着する着脱式のガスタンクに関するものである。
【背景技術】
【０００２】
弾丸の発射をガスの圧力により行なうガスガンは、電動ガンやエアコッキングガンなどとともに、模擬銃の一翼を担っている。ガスガンは、所定量の液化ガスを貯溜するタンクを有しており、液面上に気化したガスの圧力を利用して発射するもので、弾丸は発射機構によりガスを噴射させて行なう。ガスガンでは、従って、気化ガスが必要量だけ発射機構に噴射されることが望ましく、発射操作をしないにも拘らずガスが放出されたり、液化ガスが気化されないまま漏出されたりすると、ガスの消費量が増して、いわゆる燃費の悪化を招くことになる。
【０００３】
これに対して、特開平８−２７８０９７号の発明は、液化ガスの注入時と使用状態において、ガスガンの姿勢が変化する場合に、液化ガスが銃本体の発射機構の方へ漏出するのを防止するという目的を有している。同号の発明では、タンク内部を主室部と副室部に分けるとともに、ガス注入のためのパイプをタンク底部から主室部に配置し、底部に対向する位置にある副室部からガス噴出のためのパイプを主室部に配置させ、かつ、両パイプを端部にて互い違いに向き合わせるという構成になっている。
【０００４】
上記発明では、ガス導出通路部が開状態とされた際、蓄圧室内の液化ガスが気化して得られるガスのみがガス導出通路部を通じて、玩具銃本体における圧力室に供給される状態に維持されることが望ましいことに鑑みてなされている。しかしながら、そのためにタンク内部を主室部と副室部に区画し、区隔壁にガス通路としてパイプを設けており、非常に複雑な構造が必要である。また、上記ガス導出通路部がケース（タンク）の底部に対向するという構成を取るため、ガス注入孔が下部に位置するハンドガン等のタンクについてはともかく、それ以外の模擬銃に適用することは困難である。
【０００５】
【特許文献１】特開平８−２７８０９７号
【発明の開示】
【発明が解決しようとする課題】
【０００６】
本発明は前記の実情に鑑みてなされたもので、その課題は、構造が簡単であり、かつ、液化ガスを漏出させずに済む模擬銃における着脱式ガスタンクを提供することである。また、本発明の他の課題は、概ね銃身方向への差し込み操作でタンク本体を銃本体に装着する方式の模擬銃に適しており、その銃本体を下に向けたり或いは上に向けたりしても、液化ガスが銃本体のガス通路に漏出し難い模擬銃における着脱式ガスタンクを提供することである。
【課題を解決するための手段】
【０００７】
前記の課題を解決するため、本発明は、ガスの圧力により弾丸を発射する模擬銃において、銃本体に装着する着脱式のガスタンクとして、銃身をほぼ水平に向けた標準状態にてタンク本体の上部に位置するガス噴出部と、同じくタンク本体の上記ガス噴出部よりも下部に位置するガス注入部とを具備し、ガス注入部は、前記標準状態にてほぼ水平に向けたガス注入パイプを有するとともに、ガス注入用の注入弁を有し、ガス噴出部は、同じく標準状態にてほぼ水平に向けたガス噴出パイプを有するとともに、銃本体に装着されていないときに閉じ、装着時に開く開閉弁を有しており、上記ガス噴出パイプとガス注入パイプとは共にタンク本体の同じ側面にあって、ガス噴出パイプの内方端部がガス注入パイプの内方端部よりも内方に位置するように配置するという手段を講じたものである。
【０００８】
本発明の構成では、銃身をほぼ水平に向けた態勢を標準状態と記述しているが、これはタンクの向きが銃身方向によって変わることに鑑み、銃身をほぼ水平に向けた態勢を最も一般的な射撃体勢として標準状態と記述したものである。従って、標準状態という文言は上記以外の特別な意味ではない。なお、銃身が下に向いた状態は下向きと、同様に上に向いた状態は上向きと、また、銃身は水平であるが銃本体が上下逆の状態は逆向きと称することがある。
【０００９】
上記構成において、ガス注入部はガス注入パイプを有し、また、ガス噴出部はガス噴出パイプを有すると既述しているが、この場合のパイプという文言は、液化ガス又は気化ガスの通路という意味で用いている。故に、必ずしもパイプ構造のみ又は管状構造のみに限定する趣旨ではなく、パイプ構造に限定する場合には、パイプ構造と記述し、区別している。その理由はタンク本体又はその一部にプラスチック成形品を用いる場合、成形構造の一部としてガス通路を形成することができ、そのものもガス通路或いはパイプと言えるからである。
【００１０】
ガス注入パイプとガス噴出パイプとは共に外形も管状の構造を有しており、銃身をほぼ水平に向けた標準状態において、ガス噴出部の外方端部とガス注入部の外方端部とは、タンク本体の同じ側面に開口しており、かつ、上下に並んで配置されている構成は本発明にとって望ましいものである。
【００１１】
タンク本体は、ガス噴出部の外方端部とガス注入部の外方端部が上方を向けた状態で液化ガスを注入する形式であり、ガス噴出パイプの内方端部がガス注入パイプの内方端部よりも内方に位置することにより、最大注入時にはガス噴出パイプの内方端部が液化ガスに浸るが、標準状態にて液化ガスの液面上に露出し、気化ガスを噴出するように構成は本発明にとって好ましいものである。なお、ガス噴出パイプの内方端部がガス注入パイプの内方端部よりも内方に位置するという場合の「内方」とは、パイプ取り付け部から見て内部の方に入り込んでいるという意味である。その結果、パイプ先端が反対側の側面に近付くこともあり得るが、本発明では内方へどれだけ突き出ているかが重要であり、何処に近いかは余り問題ではない。
【００１２】
タンク本体は、概ね銃身方向への差し込み操作で銃本体に装着する、着脱可能な形式である。つまり、上記差し込み操作によりガス噴出パイプと銃本体側のガス通路とが通じるように、差し込み方向の前面にガス噴出部の外方端部が配置されているという構成も本発明にとって望ましいものである。
【発明の効果】
【００１３】
本発明は以上のように構成され、かつ、作用するものであるから、構造が簡単であり、かつ、銃本体がどの方向を向いていても液化ガスを漏出させずに済む模擬銃における着脱式ガスタンクを提供することができるという効果を奏する。また、本発明によれば、概ね銃身方向への差し込み操作でタンク本体を銃本体に装着する方式の模擬銃に適しており、その銃本体を下に向けたり或いは上に向けたりしても、液化ガスが銃本体のガス通路に漏出し難い模擬銃における着脱式ガスタンクを提供することができる。
【発明を実施するための最良の形態】
【００１４】
以下、図示の実施形態を参照して本発明をより詳細に説明する。図１は本発明に係る着脱式ガスタンクを適用する模擬銃１０の銃本体１１を示しており、この銃本体１１は同時に多数の球形弾丸を発射することができるタイプのガスガンに属している。銃本体１１はストックの内部にタンク本体３０を収める構造を有し、タンク本体３０を着脱式に装着するために装着室１２が床尾に開口し、タンク本体１１を、概ね銃身方向への差し込み操作で銃本体に装着する形式である。１３は床尾のカバー、１４はガス流路（図１は略図である。）で銃本体側に設けられている。
【００１５】
上記ガスガンの基本的構成について、図２を参照して説明しておく。上記ガス流路１４は銃本体１１に設けられ、その末端は複数個のバレル（銃身）１５に達している。ガス流路１４は、弁体１６で開閉される気室１７をその途中に有しており、さらに、下流にバレル１５の装弾部１５ａの側に隣接して流量調整部１８を有している。なお、気室１７を有している部分１１ａは銃本体１１の側に設けられており、また、後述の制御弁装置２５との間にはバネ１９ａ、１９ｂが配置されている。
【００１６】
弁体１６は軸状の部材であり、前端部１６ａは気室１７の前部隔壁に開けられている弁孔１７ａの内方にてガス流路に入り込み、後端部１６ｂは気室１７の前部隔壁に開けられている軸孔１７ｂから後方へ付き出して、銃本体１１に前後方向へ移動可能に装着され、バネ１９ｂにより付勢されている。また、弁体１５の中間部後側寄りの外周には突部１６ｃが設けられており、突部１６ｃは気室後壁にて停止可能とされかつ気室１７を気密に封止した状態とするものである。一方、銃本体１１はトリガー２０を有し、トリガー２０は軸２０ａを中心に回転可能に設けられ、発射操作によって、シア２１とストライカー２２を介して、上記弁体１６を開弁するように構成されている。
【００１７】
シア２１は軸２１ａ回りに回転可能に設けられ、トリガー２０に設けた係合部２０ｂと係合する係合相手部２１ｂを有している。また、ストライカー２２は、銃本体１１に設けたガイド軸２３に前後方向へ移動可能に、かつ、バネ２３ａによって前方へ付勢されて、取り付けられているとともに、その前部にて弁体１６の後端部１６ｂを加圧するように構成されている。トリガー２０とシア２１が係合している間は、シア２１もその一部２１ｃにてストライカー２２の一部２２ｃと係合し、そのためにストライカー２２は待機位置に置かれる。図２はトリガー２０が引かれて、シア２１の一部２１ｃとストライカー２２の一部２２ｃとの係合が外れ、ストライカー２２が弁体１６を打撃した瞬間を示している。なお、トリガー２０及びシア２１には戻しバネが設けられている。
【００１８】
前記の流量調整部１８は制御弁装置２５を備えている。この制御弁装置２５は、ガス流路１４に通じる空間２４と、上流側にて上記空間２４に通じるとともに、下流側にて装弾部１４ａに通じるガス噴出路２６と、上記空間側からガス噴出路２６に摺動可能に挿入された制御弁２７とを備えている。ガス噴出路２６は、装弾部１５ａと同じく３箇所設けられており、制御弁２７はそれぞれの内部に配置された付勢手段２８のコイルばねによって閉弁方向に付勢され、空間２４の上流側の部分２４ａに突き当たり得る。流量調整部１８を構成する部分は、ガス噴射ノズル１８ａを先端部に有しており、また、銃本体１１に対して前後方向へ移動可能に設けられ、弾丸装填機構の一部を構成している。
【００１９】
制御弁２７はバレル側が開放し、上流側でほぼ閉じた中空の筒型構造を有し、その筒型構造における中間部に、ガスを通過させる通気手段として、側面の開口部２７ａと端面の小開口２７ｂとを有している。従って、弾丸発射に伴って、制御弁２７が上記開口部２７ａの一部までガス噴出路２６に入り込み、バレル内部に流入するガスの流れが制限される状態になっても、少量のガスは小開口２７ｂを通過することができる。一方、球形の弾丸Ｂは銃本体１１の下部に装着されている、カートリッジ２９からバレル１５の装弾部１５ａの側に供給される。
【００２０】
タンク本体３０は、上記ガスガンのガス源となる装置であり、内部に液化ガスを充填するためのガス注入部３１と、貯留されている気化ガスをガス流路１４へ供給するためのガス噴出部３５とを具備している。図３に詳細に図示したように、実施形態におけるタンク本体３０は、概ね銃身方向への差し込み操作によって銃本体１１に装着する着脱可能な形式であり、上記差し込み操作によりガス噴出部３５と銃本体側のガス流路１４とが通じるように、差し込み方向の前面にガス噴出部３１の外方端部が配置されている。
【００２１】
上記ガス注入部３１は、前記標準状態にてほぼ水平に向けたガス注入パイプ３２を有するとともに、ガス注入用の注入弁３３を有しており、注入弁３３はガス注入パイプ３２の内部に納められている。ガス注入パイプ３２はパイプ（即ち、外形も管状の）構造を有しており、タンク本体３０の構造の一部をなしている。また、実施形態のタンク本体３０はプラスチック成形によって形成された、差し込み方向の前面が閉じ、後面が開いた扁平な箱型のもので、開いた後面は閉塞板３４により完全に閉じられている。
【００２２】
ガス噴出部３５は、同じく標準状態にてほぼ水平に向けたガス噴出パイプ３６を有するとともに、銃本体１１に装着されていないときに閉じ、装着時に開く可動式の開閉弁３７を有している。上記開閉弁３７は外方端部に組み込まれた弁ケース３７ａと、その内部にてパイプ軸方向へ移動可能に配置された可動弁３７ｂと、可動弁３７ｂを閉弁方向へ付勢するバネ３７ｃと、ガス通孔３７ｄ及び接続側の端部３７ｅを有し、ガス通孔３７ｄの直前に配置されたシール部材３７ｆの位置によってガス流を開閉するものである。
【００２３】
そして本発明では、上記ガス噴出パイプ３６とガス注入パイプ３２とは共にタンク本体３０の同じ側面にあって、ガス噴出パイプ３６の内方端部３６ｅがガス注入パイプ３２の内方端部３２ｅよりも内方に位置するように配置されていることを特徴とする。即ち、ガス噴出パイプ３６の内方端部３６ｅの方がガス注入パイプ３２の内方端部３２ｅよりも、それぞれのパイプ取り付け部から見て、図３Ａに示すように、距離ｄだけ内部の方に入り込んでいる。
【００２４】
上記タンク本体３０が装着される装着室１２の内部には、タンク本体３０を受け止める内壁部３８があり、そこにガス噴出部３５と銃本体側のガス流路１４とが通じるように弁開放ノズル３９が設けられている（図３Ｂ参照）。弁開放ノズル３９の先端３９ｅは逆テーパー状に、また、開閉弁３７の可動端部３７ｅはテーパー状に、それぞれ形成されていて相互に係合する。そして、ガス噴出部３５と銃本体側のガス流路１４の接続時には、可動弁３７ｂが押し込まれるとともに、気密の接続状態になり、かつ、タンク本体３０の前面の上部と下部が受止め部３８ａ、３８ｂに入り込んで安定な状態になる（図４参照）。
【００２５】
このように構成されている本発明によれば、以下のような作用が得られる。まず、液化ガス４０を充填するときには、タンク本体３０の差し込み方向の前面を上に向けた上向き状態とする（図５参照）。この状態でガスボンベのノズルをガス注入部３１に差し込み、ガスを注入すると、液化ガス４０はガス注入パイプ３２の内方端部３２ｅに接する付近まで充填され、満タン状態になる。満タンに液化ガス４０が充填されたタンク本体３０を銃本体１１に装着すると、バレル１５をほぼ水平に向けた標準状態では、液化ガス４０の液面はガス注入パイプ３２が浸される程度の位置になる（図６参照）。
【００２６】
故に、この状態でガス噴出部３５はタンク本体３０の上部に位置し、同じく標準状態においてガス注入部３１はタンク本体３０の上記ガス噴出部３５よりも下部に位置することは明らかである。即ち、ガス噴出パイプ３６は完全に気化ガス４１の領域にあるので、所期の圧力による弾丸発射が正常に行なわれ、液化ガス４０がガス流路１４に流出する恐れはない。従って、液化ガス４５が無駄に漏出されることもなく、いわゆる燃費も設計値の通り良好に保たれる。なお、タンク本体３０は差し込み方向前側の下面が前方に向けて上位となる傾斜底面３０ａを有しており、注入時にタンク本体３０の中間位置まで充填したときの液面が、標準状態ではタンク本体３０の中間部よりも上位に来るので、より多量の液化ガス４０を貯留できる。
【００２７】
図７は銃身を下向きにした状態であるが、この下向き状態はガスガンを、ショルダーベルトを用いて肩に掛けたときなどに現れる状態である。下向き状態では、液化ガス４０が満タンに入っていても、ガス噴出パイプ３６の内方端部３６ｅが液面より上位になる。このためガス噴出パイプ３６には気化ガス４１のみが流入し、液化ガス４０が漏出することはほとんどあり得ない。故に、ガス流路１４に液化ガス４０が溜まってしまうようなこともない。
【００２８】
さらに、銃身は水平であるが銃本体１１が上下逆の逆向き状態では、銃身が水平と同じ標準状態の場合よりも、傾斜底面３０ａが無い分だけ液面が低下する（図８参照）。このため、ガス注入部３１とガス噴出部３５は共に液化ガス４０の液面かに没するので、液化ガス４０がガス流路１４に流出する可能性がある。しかしながら、本発明によればタンク本体３０と銃本体１１のガス流路１４との間には開閉弁３７があり、流出し得る液化ガス量はごく限られているので、多量に生ガス（液化ガス）がガス流路１４に流出してしまうようなことはなく、燃費の悪化であるとか弾丸の異常な発射というような事態を防止することができる。
【００２９】
このように、本発明の装置は液化ガスを銃本体内部の機構に漏出させることがほとんど無いので、ガスの燃費を悪化させることが防止される。特に本発明の構成によれば、標準状態においてガス噴出パイプ３６がほぼ水平に向いており、それと同じ側面にガス注入部３１を有し、かつ、ガス噴出部３５のほぼ延長方向のガス流路１４に接続される構成を備えたガス銃に好適に適用することができる。
【図面の簡単な説明】
【００３０】
【図１】本発明に係る着脱式ガスタンクを適用した模擬銃の一例を示す側面説明図である。
【図２】同上におけるガスガンの構成の一例を示す側面説明図である。
【図３】同上におけるタンク本体を示すもので、Ａはタンク本体を、Ｂは内壁部をそれぞれ示す断面図である。
【図４】同じくタンク本体の要部を示す拡大断面図である。
【図５】本発明の作用を示すもので上向き状態を示す説明図である。
【図６】同じく標準状態を示す説明図である。
【図７】同じく下向き状態を示す説明図である。
【図８】同じく逆向き状態を示す説明図である。
【符号の説明】
【００３１】
１０  模擬銃
１１  銃本体
１２  装着室
１３  カバー
１４  ガス流路
１５  バレル（銃身）
１８  流量調整部
２０  トリガー
２５  制御弁装置
２６  ガス噴出路
３０  タンク本体
３１  ガス注入部
３２  ガス注入パイプ
３３  注入弁
３４  閉塞板
３５  ガス噴出部
３６  ガス噴出パイプ
３７  開閉弁
３８  内壁部
３９  弁開放ノズル
４０  液化ガス
４１  気化ガス
【図１】
2015034642.tif 000003
【図２】
2015034642.tif 000004
【図３】
2015034642.tif 000005
【図４】
2015034642.tif 000006
【図５】
2015034642.tif 000007
【図６】
2015034642.tif 000008
【図７】
2015034642.tif 000009
【図８】
2015034642.tif 000010
【手続補正書】
【提出日】平成26年10月21日(2014.10.21)
【手続補正１】
【補正対象書類名】特許請求の範囲
【補正対象項目名】全文
【補正方法】変更
【補正の内容】
【特許請求の範囲】
【請求項１】
ガスの圧力により弾丸を発射する模擬銃において、銃本体に装着する着脱式のガスタンクであって、
タンク本体は、ガス噴出部の外方端部とガス注入部の外方端部が上方を向いた状態で液化ガスを注入する形式であり、
銃身をほぼ水平に向けた標準状態にてタンク本体の上部に位置するガス噴出部と、同じくタンク本体の上記ガス噴出部よりも下部に位置するガス注入部とを具備し、
ガス注入部は、前記標準状態にてほぼ水平に向けたガス注入パイプを有するとともに、ガス注入用の注入弁を有し、
ガス噴出部は、同じく標準状態にてほぼ水平に向けたガス噴出パイプを有するとともに、銃本体に装着されていないときに閉じ、装着時に開く開閉弁を有しており、
上記ガス噴出パイプとガス注入パイプとは共にタンク本体の同じ側面にあって、液化ガスが満タンのときに、ガス噴出パイプの内方端部がガス注入パイプの内方端部よりも内方に位置するように配置されていることを特徴とする
模擬銃における着脱式ガスタンク。
【請求項２】
ガス噴出パイプとガス注入パイプとは共に外形も管状の構造を有しており、
銃身をほぼ水平に向けた標準状態において、ガス噴出部の外方端部とガス注入部の外方端部とは、タンク本体の同じ側面に開口しており、かつ、上下に並んで配置されている
請求項１記載の模擬銃における着脱式ガスタンク。
【請求項３】
タンク本体は、ガス噴出部の外方端部とガス注入部の外方端部が上方を向けた状態で液化ガスを注入する形式であり、ガス噴出パイプの内方端部がガス注入パイプの内方端部よりも内方に位置することにより、液化ガスが満タンのときにはガス噴出パイプの内方端部が液化ガスに浸るが、標準状態にて液化ガスの液面上に露出し、気化ガスを噴出するように構成された
請求項１又は２記載の模擬銃における着脱式ガスタンク。
【請求項４】
タンク本体は、概ね銃身方向への差し込み操作で銃本体に装着する形式であり、上記差し込み操作によりガス噴出部と銃本体側のガス流路とが通じるように、差し込み方向の前面にガス噴出部の外方端部が配置されている、
請求項１ないし３の何れかに記載の模擬銃における着脱式ガスタンク。
【請求項５】
タンク本体は、銃身をほぼ水平に向けた標準状態にて銃身方向に長い概ね長方形の形状を有しており、銃身方向への差し込み操作における差し込み方向前側の下面が前方に向けて上位となる傾斜底面を有している、
請求項１ないし４の何れかに記載の模擬銃における着脱式ガスタンク。
【手続補正２】
【補正対象書類名】明細書
【補正対象項目名】０００７
【補正方法】変更
【補正の内容】
【０００７】
前記の課題を解決するため、本発明は、ガスの圧力により弾丸を発射する模擬銃において、銃本体に装着する着脱式のガスタンクとして、タンク本体は、ガス噴出部の外方端部とガス注入部の外方端部が上方を向いた状態で液化ガスを注入する形式であり、銃身をほぼ水平に向けた標準状態にてタンク本体の上部に位置するガス噴出部と、同じくタンク本体の上記ガス噴出部よりも下部に位置するガス注入部とを具備し、ガス注入部は、前記標準状態にてほぼ水平に向けたガス注入パイプを有するとともに、ガス注入用の注入弁を有し、ガス噴出部は、同じく標準状態にてほぼ水平に向けたガス噴出パイプを有するとともに、銃本体に装着されていないときに閉じ、装着時に開く開閉弁を有しており、上記ガス噴出パイプとガス注入パイプとは共にタンク本体の同じ側面にあって、液化ガスが満タンのときに、ガス噴出パイプの内方端部がガス注入パイプの内方端部よりも内方に位置するように配置するという手段を講じたものである。
【手続補正３】
【補正対象書類名】明細書
【補正対象項目名】００２６
【補正方法】変更
【補正の内容】
【００２６】
故に、この状態でガス噴出部３５はタンク本体３０の上部に位置し、同じく標準状態においてガス注入部３１はタンク本体３０の上記ガス噴出部３５よりも下部に位置することは明らかである。即ち、ガス噴出パイプ３６は完全に気化ガス４１の領域にあるので、所期の圧力による弾丸発射が正常に行なわれ、液化ガス４０がガス流路１４に流出する恐れはない。従って、液化ガス４０が無駄に漏出されることもなく、いわゆる燃費も設計値の通り良好に保たれる。なお、タンク本体３０は差し込み方向前側の下面が前方に向けて上位となる傾斜底面３０ａを有しており、注入時にタンク本体３０の中間位置まで充填したときの液面が、標準状態ではタンク本体３０の中間部よりも上位に来るので、見掛け上、より多量の液化ガス４０を貯留できるように見える。
【手続補正４】
【補正対象書類名】明細書
【補正対象項目名】００２８
【補正方法】変更
【補正の内容】
【００２８】
さらに、銃身は水平であるが銃本体１１が上下逆の逆向き状態では、銃身が水平と同じ標準状態の場合よりも、傾斜底面３０ａが無い分だけ液面が低下する（図８参照）。このため、ガス注入部３１とガス噴出部３５は共に液化ガス４０の液面下に没するので、液化ガス４０がガス流路１４に流出する可能性がある。しかしながら、本発明によればタンク本体３０と銃本体１１のガス流路１４との間には開閉弁３７があり、流出し得る液化ガス量はごく限られているので、多量に生ガス（液化ガス）がガス流路１４に流出してしまうようなことはなく、燃費の悪化であるとか弾丸の異常な発射というような事態を防止することができる。